(57)【特許請求の範囲】
【請求項１】
撮影操作に応じて被写体を撮影するカメラにおいて、被写体を表わす画像データに応じた画面を中央部分に表示する表示板と該表示板を背面から照らすバックライトとを有する表示ユニットと、
前記表示ユニット前面側に該表示ユニットとの間に所定間隔を隔てて配備された、前記表示板上に表示された画面観察用の接眼レンズと、
前記表示ユニットおよび前記接眼レンズを内蔵して、これら表示ユニットおよび該接眼レンズを保持する筐体とを備えた電子ビューファインダを備え、
前記筐体は、前記表示板前面の周縁部に当接して前記中央部分を取り巻く突条部を有するものであることを特徴とするカメラ。
【発明の詳細な説明】
【０００１】
【発明の属する技術分野】
本発明は、電子ビューファインダが装備されたカメラに関する。
【０００２】
【従来の技術】
カメラの中には撮影レンズで被写体像を固体撮像素子に結像させ、その結像させた固体撮像素子の画像データに基づいてＬＣＤ表示板上に被写体像を表示させ、撮影者が接眼レンズでそのＬＣＤ表示板前上の被写体像を観察してフレーミングを行うファインダを備えたものがある。このようなファインダを電子ビューファインダと称している。この電子ビューファインダが装備されたカメラで撮影を行うときにはユーザがその電子ビューファインダの接眼部に眼を当ててフレーミングを行い、そのフレーミングが定まるとレリーズ釦が押下され、撮影が行われる。
【０００３】
近年ではカメラボディの小型化に伴い、そのカメラに装備される電子ビューファインダも小型化が要求されている。電子ビューファインダの主要な構成部品としてはＬＣＤ表示板とバックライトと接眼レンズとそれらの部材を保持するための筐体とがあり、カメラボディの小型化の要求に伴い電子ビューファインダの小型化が進められ、電子ビューファインダを構成する、それぞれの部品や一つの部品を構成する部材の小型化も進められている。これらの部品や部材の小型化が進められていく中でＬＣＤ表示板の小型化が進められると、ＬＣＤ表示板上の画面も小さくなるため、接眼レンズの倍率をより大きくすることが要求される。
【０００４】
図４は従来のＬＣＤ表示板の構成を示す図である。
【０００５】
図４に示すようにＬＣＤ表示板２０ａが備えられており、そのＬＣＤ表示板２０ａはＬＣＤ表示板の筐体２０ｂ内に嵌め込まれ、そのＬＣＤ表示板２０ａの筐体２０ｂの背面側にはバックライト２１が配設されている。ＬＣＤ表示板２０ａとバックライト２１は別々の部材からなり、それぞれの部材が電子ビューファインダ筐体内のそれぞれの位置に配設される。なお図にはＬＣＤ表示板２０ａに電気信号を供給するためのフレキシブル配線基板２２も示されている。
【０００６】
このようにＬＣＤ表示板２０ａとバックライト２１とが小型化され、それらの小型化された部材がそれぞれ別々に配設されるとなると従来にも増してこれらの部材の位置を正確に決めるための位置決め構造が電子ビューファインダ筐体側に要求される。また、表示板２０ａおよびバックライト２１の外形寸法にも厳しい寸法精度が要求される。
【０００７】
【発明が解決しようとする課題】
しかしこれらの要求を満足させるべく、厳しい寸法精度でそれぞれの部材を製作しようとするとそれぞれの部材が高価になるという問題がある。この問題を避けるため、寸法の精度を緩め、それぞれの部材の製作を行うと、それぞれの部材が配設され、組み立てられた電子ビューファインダの、それぞれの部材の間に隙間が生じ易くなるという問題がある。さらに、その電子ビューファインダがカメラに組み込まれ使用されるとなると、バックライトの熱によってそのバックライト周辺の部材が変形し、それぞれの部材の間にあったもともとの隙間の大きさが変わる。その変わり方が大きい方への変わり方であるとすると、その大きくなった隙間から大きなごみが侵入しそのごみがバックライトの周辺にある表示板の画面に付着する事態を招く。そうすると画面とともにその付着したごみが接眼レンズで観察されるといった事態が起こる。このような事態を回避するため、特開平６−７０２０５号公報に記載された電子ビューファインダでは、接眼レンズをビューファインダに組み込む部分に防塵機能を持たせたものが紹介されている。しかしこの電子ビューファインダでは、接眼レンズ側の防塵機能を強化しただけでバックライトの発熱によってバックライト近傍に隙間が生じ易くなるといったことまでには言及が及んでいない。
【０００８】
本発明は、上記事情に鑑み、バックライトによる熱によってバックライト周辺に配設された部材に変形が起きても、外部と表示板の画面とが繋がる経路の隙間の発生を極力抑えた構造を有する電子ビューファインダが装備されたカメラを提供することを目的とする。
【０００９】
【課題を解決するための手段】
上記目的を達成する本発明のカメラは、撮影操作に応じて被写体を撮影するカメラにおいて、被写体を表わす画像データに応じた画面を中央部分に表示する表示板と該表示板を背面から照らすバックライトとを有する表示ユニットと、
前記表示ユニット前面側に該表示ユニットとの間に所定間隔を隔てて配備された、前記表示板上に表示された画面観察用の接眼レンズと、
前記表示ユニットおよび前記接眼レンズを内蔵して、これら表示ユニットおよび該接眼レンズを保持する筐体とを備えた電子ビューファインダを備え、
前記筐体は、前記表示板前面の周縁部に当接して前記中央部分を取り巻く突条部を有するものであることを特徴とする。
【００１０】
上記発明のカメラによれば、上記突条部によって上記表示板前面の周縁を取り巻くことによってその表示板前面へのごみの侵入を従来のものより抑制することができる。またその突条部が表示板前面に当接することを利用すれば、複雑な位置決め構造を設けなくても接眼レンズと表示板との配設間隔を接眼レンズの焦点距離にあわせることが容易になるという効果もある。
【００１１】
【発明の実施の形態】
以下、本発明の実施形態について説明する。
【００１２】
図１は本発明の実施形態のカメラ１を示す図である。
【００１３】
図１に示すようにカメラ１本体内に電子ビューファインダ１０が装備されている。このカメラ１には図示しないＣＣＤ撮像素子が備えられており、そのＣＣＤ撮像素子上にはレンズ２を経由してカメラ内に取り込まれた光による被写体像が形成され、そのＣＣＤ撮像素子により被写体像を表わす画像データが生成される。その画像データは、電子ビューファインダ１０に供給されてフレーミングのために表示され、またシャッタボタン３をトリガとしてその画像データが記録される。
【００１４】
図２はそのカメラ１に装備された電子ビューファインダ１０の内部構成を示す断面図である。
【００１５】
図２に示すように電子ビューファインダ筐体１１内に接眼レンズ１２と表示ユニット１３とが備えられいる。図２には組み立てられた後の断面が示されている。
【００１６】
筐体１１の一方の端部側には接眼レンズ１２が配設されており、他方の端部側にはＬＣＤ表示板１３ａとバックライト１３ｂとがＬＣＤ筐体１３ｃ内に嵌入された表示ユニット１３が配設されている。
【００１７】
図２に示すように本実施形態のカメラ１内に装備される電子ビューファインダ１０では、ＬＣＤ筐体１３ｃ内にＬＣＤ表示板１３ａとバックライト１３ｂとが組み込まれた表示ユニット１３が、電子ビューファインダ筐体１０内に配設されている。したがって本実施形態のカメラ１においては従来では必要であった、ＬＣＤ表示板１３ａとバックライト１３ｂとの間の相互の配設位置を決めるための位置決め構造を電子ビューファインダ筐体１１に設けなくても良い。
【００１８】
接眼レンズ１２の方は電子ビューファインダ筐体１１の内周に設けられたガイド用の凹部１１１ａ、１１１ｂに嵌め込まれるようにして配設されており、表示ユニット１３の方も同様に図示しない凹部に嵌めこまれるように配設されている。この筐体１１は２つ割りになっており、この筐体１１の一方の部材１１ａと他方の部材１１ｂとが合わされてひとつの筐体１１が構成される。図示はしていないが、この筐体１１の一方の部材１１ａと他方の部材１１ｂとが合わせられる部分には一方の部材１１ａ側に複数の爪が設けられ、他方の部材１１ｂ側にそれらの爪を受け入れる嵌入部が設けられている。それらの爪がその嵌入部に嵌め込まれることによって二つの部材が結合され、電子ビューファインダ筐体１１が組み立てられる。また電子ビューファインダ筐体１１の一方の部材１１ａと他方の部材１１ｂとが合わせられる部分の一方の部材１１ｂ側には表示ユニット１３が所定の配設位置へガイドされるように他方の部材１１ａ側に向けて延設された凸部も設けられており、その凸部には表示ユニット１３を保持するための凹部も設けられている。その凹部に嵌めこまれるようにして表示ユニット１３が所定の配設位置へ案内され、配設される。そして接眼レンズ１２の方も同様に電子ビューファインダ筐体１１の一方の部材の凹部１１ｂに嵌め込まれ、双方の部材が配設されたら、筐体１１の他方の部材１１ａが被せられ、電子ビューファインダ１０が組み立てられる。
【００１９】
一方、図２に示すように筐体１１のそれぞれの部材１１ａ、１１ｂにはそれぞれの内面側に突条部１１２ａ、１１２ｂが設けられており、これらの突条部１１２ａ、１１２ｂが表示ユニット１３の中のＬＣＤ表示板１３ａ前面の画面１３１ａを取り巻くように配設されている。
【００２０】
本実施形態のカメラに装備される電子ビューファインダ１０ではこれらの突条部１１２ａ、１１２ｂに二つの機能を持たせてある。
【００２１】
一つ目の機能は接眼レンズ１２とＬＣＤ表示板前面１３ａの画面１３１ａとの間の距離を一定するための位置決め機能であり、二つ目の機能は画面１３１ａにごみが侵入するのを防止するための防塵機能である。
【００２２】
一つ目の位置決め機能の方は電子ビューファインダ筐体１１の一方の部材１１ｂ側のみで達せられる。この一方の部材１１ｂ側は図中下方に示された部材であり、この部材１１ｂに先に接眼レンズ１２と表示ユニット１３とが配設され、その後でもう一方の部材１１ａが上方から被せられ、接眼レンズ１２と表示ユニット１３とが双方の部材１１ａ、１１ｂに挟まれ、保持される。
【００２３】
まず、筐体の一方の部材１１ｂに接眼レンズ１２と表示ユニット１３がそれぞれ配設されるときの位置決め機能を説明する。
【００２４】
本実施形態のカメラに装備される電子ビューファインダでは、従来の電子ビューファインダに比べ表示ユニット１３のＬＣＤ表示板１３ａが小型になりそれに応じてその画面１３１ａも小さくなり、これを受けて接眼レンズ１２の倍率を大きくしてある。この接眼レンズ１２の倍率の変化に伴い、接眼レンズ１２の焦点距離ｆを変えてある。その焦点距離ｆと接眼レンズ１２の倍率との間には次式の関係がある。
【００２５】
倍率＝２５０／ｆ        式１
式１で倍率を指定すると焦点距離ｆが算出される。接眼レンズの配設位置を基準としてこの算出された焦点距離ｆを隔てて表示ユニット１３が配設される。
【００２６】
さらに次式にはそれぞれの部材の配設位置がずれて、焦点距離がずれたときの視度変化が示されており、その視度変化は
１０００／（ｆ×ｆ）    式２
で示される。視度変化は焦点距離ｆの２乗に反比例しており、焦点距離ｆが小さくなると大きくなる。筐体１１の小型化に伴い、接眼レンズ１２の倍率が大きくなり、焦点距離ｆが小さくなっているため、式２で示される視度変化の割合が増加する。つまり、接眼レンズ１２あるいは表示ユニット１３双方の配設される位置が少々ずれただけでも接眼レンズ１２を通して観察される画面の像がぼける。したがってそれぞれの部材が配設される位置の位置決め精度を高くし、焦点距離ｆのずれを抑制する必要がある。
【００２７】
そこで組み立てが行われるときに先に接眼レンズ１２、表示ユニット１３が配設される側の部材１１ｂの突条部１１２ｂの折曲部１１２２ｂを表示ユニット１３のＬＣＤ表示板１３ａ前面に当接させ、電子ビューファインダ筐体１１の内面に設けられた凹部１１１ｂで規制される接眼レンズ１２の主平面からの距離Ｌを焦点距離ｆにあわせるようにしている。
【００２８】
また、図４に示す従来例の場合、電子ビューファインダ筐体１１とＬＣＤ表示板筐体１３ｃとが接しており、バックライト１３ｂ側から位置決めを行うために付勢が行われても表示ユニットの表示板が圧力を受けない構造になっていた。しかし本実施形態の電子ビューファインダでは電子ビューファインダ筐体１１の突条部１１２ｂの折曲部１１２２ｂの先端をＬＣＤ表示板１３ａ前面に当接させ、バックライト１３ｂ側から付勢し、表示ユニット１３の位置決めが行われる。このときには従来のものとは異なり、バックライト１３ｂ側から付勢を行うと、ＬＣＤ表示板１３ａ前面に圧力が加えられ、ＬＣＤ表示板１３ａが破損される可能性がある。したがって、これを防止するためにも、この突条部１１２ｂの折曲部１１２２ｂの先端の、表示ユニット１３の中のＬＣＤ表示板１３ａ前面に当接する部分の面積は大きいことが望ましい。突条部１１２ｂの折曲部１１２２ｂの先端がＬＣＤユニット１３ａ前面に当接する部分の面積が大きいと、バックライト１３ｂ側から付勢が行われても、ＬＣＤ表示板１３ａ前面に加えられる圧力が集中せずに分散され、破損の可能性が減る。また、このように突条部１１２ｂがＬＣＤユニット前面に当接する位置に表示ユニットが配設されると表示ユニット１３の配設位置が正確に決められる。
【００２９】
次に防塵機能を説明する。
【００３０】
図３は電子ビューファインダ筐体１１を構成する一方の部材１１ａに設けられた突条部１１２ａと他方の部材１１ｂに設けられた突条部１１２ｂとがＬＣＤ表示板１３ａ前面に当接する部分を拡大した図である。図３（ａ）はＬＣＤ表示板１３ａ前面の画面１３ｄとそれを取り巻く突条部１１２ａ、１１２ｂとの位置関係を示す図であり、また図３（ｂ）は電子ビューファインダ筐体１１を中央で切断した断面図である。
【００３１】
図３（ａ）に示すようにそれぞれの突条部１１２ａ、１１２ｂがＬＣＤ表示板ユニット１３ａ前面の画面１３１ａを取り巻くようにして配設されている。したがって、その画面１３１ａへのごみの侵入を防止できる確率が高くなる。
【００３２】
図３（ｂ）に示すようには、電子ビューファインダ筐体１１を、中央で切断した断面図が示されており、図３（ｂ）には電子ビューファインダ筐体の上面および下面方向から突出して設けられた突条部がそれぞれ示されている。左右にもこれらと同様の突条部が設けられており、これらの突条部によって画面が取り巻かれる。図３（ｂ）に示すようにこの突条部１１２ａ、１１２ｂには突出部１１２１ａ、１１２１ｂとその突出部１１２１ａ、１１２１ｂの先端を表示ユニット１３側へ折り曲げた折曲部１１２２ａ、１１２２ｂとが設けられている。この折曲部１１２２ａ、１１２２ｂの先端がＬＣＤ表示板１３ａ前面の画面１３１ａに向かうようにして配設されている。これらの突条部１１２ａ、１１２ｂの折曲部１１２１ａ、１１２１ｂの先端がＬＣＤ表示板１３ａ前面にそれぞれ当接する。これらの折曲部１１２１ａ、１１２１ｂの先端には大きな面積を持たせてあり、その先端をＬＣＤ表示板１３ａ前面に当接させると、外部から画面１３１ａの方へごみが侵入しにくくなる。また、前述したようにこの突条部１１２ａ、１１２ｂの折曲部１１２２ａ、１１２２ｂの先端が当接するところが表示ユニット１３の配設位置にも当たる。
【００３３】
表示ユニット１３にはＬＣＤ表示板１３ａを照らすためのバックライト１３ｂもＬＣＤ筐体１３ｃ内に配設されており、このバックライト１３ｂが点灯すると発熱しＬＣＤ表示板１３ａ周辺の温度が上昇する。そうするとＬＣＤ表示板筐体１３ｃおよびそのＬＣＤ表示板筐体１３ａ周辺の電子ビューファインダ筐体１１が温度の上昇によって変形する。もともとこの変形があってもごみの侵入を抑えるだけの隙間で接眼レンズ１２および表示ユニット１３が保持される構造にはなってはいるが、バックライト１３ｂの熱によってその周辺の部材が変形すると隙間が大きくなり、ごみが侵入し易くなる。この状況に対処するため、突条部１１２ａ、１１２ｂの折曲部１１２２ａ、１１２２ｂがＬＣＤ表示板１３ａ前面に当接する部分の接触面積を大きくしてある。この接触面積を大きくするとバックライトの熱による変形が起きてもＬＣＤ表示板１３ａ前面と突条部１１２ａ、１１２ｂの折曲部１１２２ａ、１１２２ｂの先端との間に隙間が生じにくくなる。つまり、バックライトの熱によって少々の変形が生じても接触面積が大きいので、その接触面積の大きい端面のいずかがＬＣＤ表示板１３ａ前面に当接したままの状況が保たれる。
【００３４】
以上説明したように表示ユニット１３のＬＣＤ表示板１３ａ前面に電子ビューファインダ筐体１１に設けた突条部１１２ａ、１１２ｂの折曲部１１２２ａ、１１２２ｂの先端を大きな接触面積で当接させることによってＬＣＤ表示板１３ａの画面１３１ａと突条部１１２ａ、１１２ｂの折曲部１１２２ａ、１１２２ｂの先端との間の隙間の発生を限りなく抑えることができる。バックライトの熱の影響がさほど大きく現れない接眼部付近ではもともと外部からごみが侵入しにくい構造になっており、表示ユニット近傍の温度変化などによる隙間の発生の防止を強化することが突条部を設けるだけで簡単に実現できる。
【００３５】
【発明の効果】
以上、説明したように、本発明のカメラによれば、筐体内にごみが侵入しにくい構造を有する電子ビューファインダが装備されたカメラを提供することができる。
【図面の簡単な説明】
【図１】本発明の実施形態のカメラの外観を示す図である。
【図２】本発明の実施形態のカメラに装備される電子ビューファインダ内部の構成を示す図である。
【図３】図１の表示板付近の拡大図である。
【図４】従来の表示ユニットの構成を示す図である。
【符号の説明】
１    カメラ
１０    電子ビューファインダ
１１    電子ビューファインダ筐体
１１ａ    筐体を構成する一方の部材
１１１ａ    凹部
１１２ａ    突条部
１１２１ａ    突出部
１１２２ａ    折曲部
１１ｂ    筐体を構成する他方の部材
１１１ｂ    凹部
１１２ｂ    突条部
１１２１ｂ    突出部
１１２２ｂ    折曲部
１２    接眼レンズ
１３    表示ユニット
１３ａ    ＬＣＤ表示板
１３１ａ    画面
１３ｂ    バックライト
１３ｃ    ＬＣＤ表示板筐体
【図１】
0004071990.tif 000002
【図２】
0004071990.tif 000003
【図３】
0004071990.tif 000004
【図４】
0004071990.tif 000005